(57)【要約】【課題】  本発明は、遊技機における遊技動作を制御するための主制御基板を交換困難にしつつ、遊技機における遊技動作以外を制御するための副制御基板を容易に交換可能にし、取付時における部品点数及び組立工数を低減することが可能な構造を持つ基板ケースを提供することができる。【解決手段】  本発明は、電子部品が配備された制御基板を複数収容するとともに、開閉可能な基板ケース１００であって、遊技機１における遊技動作を制御する電子部品が配備された主制御基板１４５を収容する制御基板ケース１４０と、遊技動作に応じて所定の演出を制御する電子部品（例えば、記憶部１３１）が配備された副制御基板１３０とが収容されている。基板ケース１００が開放されたときには、副制御基板１３０又は副制御基板１３０に配備された電子部品（例えば、記憶部１３１）が交換可能となる。【選択図】    図３
2005131307.tif 000002
【特許請求の範囲】
【請求項１】
電子部品が配備された制御基板を複数収容するとともに、開閉可能な基板ケースであって、
遊技機における遊技動作を制御する電子部品が配備された第一制御基板を収容する制御基板ケースと、
前記遊技動作に応じて所定の演出を制御する電子部品が配備された第二制御基板とが収容されており、
前記基板ケースが開放されたときには、前記第二制御基板又は前記第二制御基板に配備された前記電子部品が交換可能であることを特徴とする基板ケース。
【請求項２】
前記制御基板ケースは、前記第一制御基板が取り付けられるケース体と該ケース体に取り付けられた前記第一制御基板を覆うカバー体とからなり、
前記ケース体と前記カバー体とを開放不能に封止する封止手段を備えることを特徴とする請求項１に記載の基板ケース。
【請求項３】
前記基板ケースの少なくとも一部は、該基板ケースの内部が視認可能な透光部を有し、  
前記制御基板ケースの少なくとも一部は、該制御基板ケースに収容された第一制御基板の一部が視認可能な透光部を有し、
前記基板ケースが有する透光部は、前記制御基板ケースが有する透光部を介して、前記制御基板ケースに収容された第一制御基板の一部が視認可能な位置に備えられることを特徴とする請求項１又は請求項２のいずれかに記載の基板ケース。
【請求項４】
前記基板ケースには開口部が備えられ、
前記制御基板ケースの少なくとも一部は、前記制御基板ケースに収容された第一制御基板の少なくとも一部が視認可能な透光部を有し、
前記開口部は、前記制御基板ケースが有する透光部と重なる位置に備えられることを特徴とする請求項１又は請求項３のいずれかに記載の基板ケース。
【発明の詳細な説明】
【技術分野】
【０００１】
本発明は、電子部品が配備された制御基板を複数収容するとともに、遊技機に備える基板ケースに関する。
【背景技術】
【０００２】
従来からは遊技機における各制御の負担を分散させるために、それぞれの制御に対応する制御基板が配備されている。また、主制御基板が、遊技機における遊技動作を主に制御するＲＯＭ等の電子部品を配備しているため、当該主制御基板を含む各制御基板は、電子部品の保護を行うことや、当該電子部品又は主制御基板を無断に交換される等の不正行為が行われないようにする基板ケースに収容されている（例えば、特許文献１参照）。
【特許文献１】特開２００１−６２１２０号公報
【発明の開示】
【発明が解決しようとする課題】
【０００３】
しかしながら、遊技機における遊技動作以外を制御する電子部品を配備する副制御基板も上記基板ケースに収容されており、また当該基板ケースは破壊しなければ開放できない構造となっているため、適正な者が主制御基板以外の副制御基板等に配備された電子部品を容易に交換することができないという問題があった。特に、遊技機の製造業者等は、遊技者の嗜好又は現在の流行に応じて画像の種類等を変更する必要があるため、上記遊技動作以外の画像等の演出を制御する電子部品、又は当該電子部品が配備された副制御基板等を容易に交換可能な基板ケースを開発する必要があった。
【０００４】
また、従来の遊技機には複数の基板ケースが配備されているが、各基板ケースの大きさは、収容する基板の大きさに応じて異なることがあった。このため、基板ケースのそれぞれが異なる位置に取り付けられなければならず、部品点数及び組立工数が増加するという問題があった。
【０００５】
そこで、本発明は上記問題を解決すべくなされたものであり、遊技機における遊技動作を制御するための主制御基板を交換困難にしつつ、遊技機における遊技動作以外を制御するための副制御基板を容易に交換可能にし、取付時における部品点数及び組立工数を低減することが可能な構造を持つ基板ケースを提供することを課題とする。
【課題を解決するための手段】
【０００６】
本発明は、上記課題を解決するために、電子部品が配備された制御基板を複数収容するとともに、開閉可能な基板ケース（例えば、基板ケース１００）であって、遊技機における遊技動作を制御する電子部品が配備された第一制御基板（例えば、主制御基板１４５）を収容する制御基板ケース（例えば、制御基板ケース１４０）と、遊技動作に応じて所定の演出を制御する電子部品が配備された第二制御基板（例えば、副制御基板１３０）とが収容されており、基板ケース（例えば、基板ケース１００）が開放されたときには、第二制御基板又は第二制御基板に配備された電子部品（例えば、記憶部１３１）が交換可能であることを特徴とする。
【０００７】
このような本発明によれば、基板ケースが開放されたときには、第二制御基板又は第二制御基板に配備された電子部品が交換可能である一方で、遊技機における遊技動作を制御するための第一制御基板が未だ制御基板ケースに収納されているため、基板ケースは、当該第一制御基板が交換困難な構造を持つことができる。また、一の基板ケースが同一又は異なる制御基板を複数収容することにより、作業者等が各制御基板をそれぞれ異なる箇所に取り付ける必要がなくなるため、基板ケースは、各制御基板の取付時における部品点数及び組立工数を低減させることが可能な構造を持つことができる。
【０００８】
上記発明においては、制御基板ケースは第一制御基板が取り付けられるケース体（例えば、第２ケース体１４６）とケース体に取り付けられた第一制御基板を覆うカバー体（例えば、第２カバー体１４２）とからなり、ケース体とカバー体とを開放不能に封止する封止手段（例えば、封止部１４１）を備えてもよい。
【０００９】
この場合には、第一制御基板が取り付けられるケース体とケース体に取り付けられた第一制御基板を覆うカバー体とが備えられ、ケース体とカバー体とを開放不能に封止する封止手段が備えられることにより、制御基板ケースは、遊技機の遊技動作を主に制御するための第一制御基板又は当該第一制御基板に配備された電子部品が交換困難な構造となり、不正行為の防止をより強固にすることが可能な構造を持つことができる。
【００１０】
上記発明においては、基板ケースの少なくとも一部は基板ケースの内部が視認可能な透光部（例えば、透光性部材）を有し、制御基板ケースの少なくとも一部は制御基板ケースに収容された第一制御基板の一部が視認可能な透光部（例えば、透光性部材）を有し、基板ケースが有する透光部は、制御基板ケースが有する透光部を介して、制御基板ケースに収容された第一制御基板の一部が視認可能な位置に備えられてもよい。この場合には、基板ケースが有する透光部が、制御基板ケースが有する透光部を介して制御基板ケースに収容された第一制御基板の一部が視認可能な位置に備えられることにより、作業者等は、基板ケースの透光部及び制御基板ケースの透光部を通じて、第一制御基板が不正行為により交換されたか否かを容易に確認することができる。
【００１１】
上記発明においては、基板ケースには開口部（例えば、開口部１１１）が備えられ、制御基板ケースの少なくとも一部は、制御基板ケースに収容された第一制御基板の少なくとも一部が視認可能な透光部を有し、開口部は、制御基板ケースが有する透光部と重なる位置に備えられてもよい。この場合には、開口部は制御基板ケースが有する透光部と重なる位置に備えられることにより、作業者等は、開口部を通じて第一制御基板が不正行為により交換されたか否かを容易に確認することができる。
【発明の効果】
【００１２】
以上説明したように本発明によれば、遊技機における遊技動作を制御するための主制御基板を交換困難にしつつ、遊技機における遊技動作以外を制御するための副制御基板を容易に交換可能にし、取付時における部品点数及び組立工数を低減することが可能な構造を持つ基板ケースを提供することができる。
【発明を実施するための最良の形態】
【００１３】
（本実施形態における遊技機の構成）
本実施形態における遊技機１の構成について、図面を参照しながら説明する。図１は、本実施形態における遊技機１の全体を示す斜視図である。
【００１４】
同図に示すように、遊技機１は、遊技場の島設備に遊技機１を設置するために設けられている外枠８０と、外枠８０の内側に設けられた中枠６０に回動可能に軸支されている前枠１０と、回転操作されることにより遊技盤３０上の遊技領域に向けて遊技球を発射するように構成された発射ハンドル４０と、遊技球を受け入れる上皿／下皿２０と、遊技球の流下方向に変化を与え、又は遊技領域へ射出された遊技球を受け入れる遊技部材（例えば、遊技球の流下方向に変化を与える流下方向変化部材３１，３２、透光性を有する部材で構成されるとともに遊技球を受け入れる一般入賞口３３、始動口３４又は役物など）が配設された遊技盤３０と、一般入賞口３３などに受け入れられない遊技球を排出するためのアウト口３５とを具備する。
【００１５】
図２は、本実施形態における遊技機１の裏側を示す斜視図である。同図に示すように、遊技機１は、電子部品が配備された制御基板を複数収容するとともに開閉可能な基板ケース１００と、補給された複数の遊技球の中から所定数の遊技球を払い出すように構成された払出ユニット９０とを裏側に具備している。
【００１６】
図３は、基板ケース１００を示す分解図である。同図に示すように、基板ケース１００は、電子部品が配備された制御基板が複数取り付けられる第１ケース体１５０と該第１ケース体１５０に取り付けられた制御基板を覆う第１カバー体１１０とを備えている。この第１ケース体１５０の裏面には、外部からのノイズを除去するためのシールド板１８０が取り付けられている。
【００１７】
この基板ケース１００は、第１カバー体１１０が開放されたときは、制御基板ケース１４０以外の副制御基板１３０又は副制御基板１３０に配備された電子部品（例えば、記憶部１３１）などが交換可能となるように構成されている。
【００１８】
ここで、第１ケース体１５０には、遊技盤３０上の遊技領域に遊技球を発射する制御又は所定数の遊技球を払い出す制御を行うように構成された払出／発射制御基板１２１と、遊技機１における遊技動作を主に制御する電子部品が配備された主制御基板１４５を収容する制御基板ケース１４０と、遊技機１における遊技動作に応じて所定の演出（例えば、所定の画像の表示など）を制御する電子部品（例えば、記憶部１３１）が配備された副制御基板１３０と、遊技球に関する情報が記憶されたカードを受け付けるカードユニット（図示せず）に各制御基板を接続するためのケース１６０とが取り付けられている。なお、基板ケース１００及び制御基板ケース１４０は、制御基板ケース１４０に収容された主制御基板１４５の少なくとも一部が視認可能な透光性部材で構成されてもよい。また、基板ケース１００が有する透光性部材は、制御基板ケース１４０が有する透光性部材を介して、制御基板ケース１４０に収容された主制御基板１４５の一部が視認可能な位置に備えられてもよい。
【００１９】
第１カバー体１１０は、開口部１１１と固定開口部１２０とを備えている。開口部１１１は、基板ケース１００の内部に備えられる制御基板ケース１４０を視認可能にするための開口である。この開口部１１１は、制御基板ケース１４０に形成された透光性部材と重なる位置に備えられてもよい。
【００２０】
固定開口部１２０は、第１カバー体１１０と第１ケース体１５０とを固定するための開口である。上述の第１ケース体１５０に配備された爪部１５１が固定開口部１２０に嵌め込まれることにより、第１カバー体１１０と第１ケース体１５０とが固定される。
【００２１】
図４は、制御基板ケース１４０を示す分解図である。同図に示すように、制御基板ケース１４０は、主制御基板１４５が取り付けられる第２ケース体１４６と、当該主制御基板１４５を覆う第２カバー体１４２とから構成されている。
【００２２】
第２カバー体１４２は、溝部１４４と封止部１４１とを備えている。上述の第２ケース体１４６に配備された爪部１４７が溝部１４４に嵌め込まれることにより、第２カバー体１４２と第２ケース体１４６とが固定される。
【００２３】
封止部１４１は、第２カバー体１４２の縁部に備えられており、第２カバー体１４２と第２ケース体１４６とを開放不能に封止する封止手段である。図５は、封止部の詳細な構造を示す図である。
【００２４】
同図（ａ）に示すように、封止部１４１は、支持部１４１ａと、回動部材１４１ｂと、台座部１４１ｃと、嵌合片１４１ｄとを備えている。支持部１４１ａは、第２カバー体１４２の縁部に固定されている。
【００２５】
回動部材１４１ｂは、当該回動部材１４１ｂの一端が支持部１４１ａに固定されており、他端が回動可能となる部材で構成されている。この回動部材１４１ｂは、当該回動部材１４１ｂの一端が固定されている箇所から、当該回動部材１４１ｂの他端が第２ケース体１４６に備えられた穴１４８に届き得る長さを有している。
【００２６】
嵌合片１４１ｄは、回動部材１４１ｂの一端にある台座部１４１ｃに備えられており、回動部材１４１ｂが第２ケース体１４６へ回動される方向に台座部１４１ｃから突出された部材である。この嵌合片１４１ｄは、当該嵌合片１４１ｄが穴１４８に嵌め込まれたときに当該嵌合片１４１ｄが外部からの作用により引抜不能となるような形状を有している。
【００２７】
同図（ｂ）に示すように、支持部１４１ａに固定された回動部材１４１ｂが回動されることにより、回動部材１４１ｂの先端に配備された嵌合片１４１ｄが穴１４８に嵌め込まれる。この穴１４８に嵌め込まれた嵌合片１４１ｄが外部からの作用により引抜不能となるような形状を有するため、第２カバー体１４２と第２ケース体１４６とが開放不能に封止される。これにより、制御基板ケース１４０が開放されるには、回動部材１４１ｂがニッパー等の工具により切断されなければならない。仮に、回動部材１４１ｂが切断されて、制御基板ケース１４０が開放された場合には、再度、作業者等が制御基板ケース１４０を開放不能に封止することが可能となるように、複数の封止部１４１（特に、回動部材１４１ｂと台座部１４１ｃと嵌合片１４１ｄ）が備えられている。
【００２８】
図６は、副制御基板１３０と制御基板ケース１４０と払出／発射制御基板１２１とケース１６０とが第１ケース体１５０に取り付けられた後の様子を示す図である。図７は、第１カバー体１１０が図８に示す第１ケース体１５０に取り付けられる前の様子を示す図である。図８は、第１カバー体１１０が図８に示す第１ケース体１５０に取り付けられた後の様子を示す図である。
【００２９】
図７及び図８に示すように、爪部１５１が固定開口部１２０に嵌め込まれることにより、第１カバー体１１０と第１ケース体１５０とが固定される。
【００３０】
図９は、遊技機１の裏側に基板ケース１００が配備された様子を示す側面図である。同図に示すように、一の基板ケース１００が複数の制御基板を収容し、遊技機１の裏面がフラット化されることにより、作業者等は遊技機１の搬入時において搬入された遊技機間のスペースを大きく開けないようにすることができ、より多くの遊技機１を荷台に載せることができる。
【００３１】
なお、主制御基板１４５は、払出／発射制御基板１２１等を備えてもよい。また、副制御基板１３０は、複数配備されてもよい。更に、基板ケース１００は、全ての制御基板を備えることに限定されず、省スペース化を図ること、又は部品点数又は組立工数の低減を図ることと関係がなければ一部の制御基板（例えば、副制御基板１３０）を配備しなくてもよい。
【００３２】
（本実施形態における遊技機の作用及び効果）
このような本発明によれば、基板ケース１００が開放されたときには、副制御基板１３０又は副制御基板１３０に配備された記憶部１３１が交換可能である一方で、遊技機１における遊技動作を制御するための主制御基板１４５が未だ制御基板ケース１４０に収納されているため、基板ケース１００は、当該主制御基板１４５が交換困難な構造を持つことができる。
【００３３】
また、一の基板ケース１００が同一又は異なる制御基板を複数収容することにより、作業者等が各制御基板をそれぞれ異なる箇所に取り付ける必要がなくなるため、基板ケース１００は、各制御基板の取付時における部品点数及び組立工数を低減させることが可能な構造を持つことができる。
【００３４】
更に、主制御基板１４５が取り付けられる第２ケース体１４６と第２ケース体１４６に取り付けられた主制御基板１４５を覆う第２カバー体１４２とが備えられ、第２ケース体１４６と第２カバー体１４２とを開放不能に封止する封止部１４１が備えられることにより、基板ケース１００は、主制御基板１４５又は主制御基板１４５に配備された電子部品が交換困難な構造となり、不正行為の防止をより強固にすることが可能な構造を持つことができる。
【００３５】
また、制御基板ケース１４０及び基板ケース１００の少なくとも一部は、制御基板ケース１４０に収容された主制御基板１４５の少なくとも一部が視認可能な透光性部材で構成されることにより、作業者等は、主制御基板１４５が不正行為により交換されたか否かを容易に確認することができる。
【００３６】
更に、制御基板ケース１４０に形成された透光性部材が開口部１１１と重なる位置に備えられることにより、作業者等は、開口部１１１を通じて主制御基板１４５が不正行為により交換されたか否かを容易に確認することができる。
【図面の簡単な説明】
【００３７】
【図１】本実施形態における遊技機の外観を示す斜視図である。
【図２】本実施形態における遊技機を示す裏面図である。
【図３】本実施形態における基板ケースを示す分解図である。
【図４】本実施形態における制御基板ケースを示す分解図である。
【図５】本実施形態における封止部の詳細な構造を示す図である。
【図６】本実施形態における各制御基板が配備された第１ケース体を示す正面図である。
【図７】本実施形態における第１カバー体と第１ケース体とが取り付けられる前の様子を示す図である。
【図８】本実施形態における第１カバー体と第１ケース体とが取り付けられた後の様子を示す図である。
【図９】本実施形態における遊技機を示す側面図である。
【符号の説明】
【００３８】
１…遊技機、１０…前枠、２０…上皿／下皿、３０…遊技盤、３１，３２…流下方向変化部材、３３…一般入賞口、３４…始動口、４０…発射ハンドル、７０…液晶表示装置、７２…表示領域、８０…外枠、９０…払出ユニット、１００…基板ケース、１１０…第１カバー体、１１１…開口部、１２０…固定開口部、１２１…払出／発射制御基板、１３０…副制御基板、１３１…記憶部、１４０…制御基板ケース、１４１…封止部、１４１ａ…支持部、１４１ｂ…回動部材、１４１ｃ…台座部、１４１ｄ…嵌合片、１４２…第２カバー体、１４４…溝部、１４５…主制御基板、１４６…第２ケース体、１４７…爪部、１４８…穴、１５０…第１ケース体、１５１…爪部、１６０…ケース、１８０…シールド板
【図１】
2005131307.tif 000003
【図２】
2005131307.tif 000004
【図３】
2005131307.tif 000005
【図４】
2005131307.tif 000006
【図５】
2005131307.tif 000007
【図６】
2005131307.tif 000008
【図７】
2005131307.tif 000009
【図８】
2005131307.tif 000010
【図９】
2005131307.tif 000011